(57)【要約】  複数の個別パラメータが関連付けられた共通パラメータを調整することで画質及び音質を調整する映像音響再生装置（１）は、共通パラメータの入力を受け付け、複数の個別パラメータのうちの、入力された共通パラメータに関連付けられる第１の個別パラメータ及び第２の個別パラメータを出力するパラメータ出力部（１１０）と、出力された第１の個別パラメータに応じて画質を調整する画質調整部（１０６）と、出力された第２の個別パラメータに応じて音質を調整する音質調整部（１０７）とを備え、第１の個別パラメータは、共通パラメータの変化に応じて変化する画質調整パラメータであり、第２の個別パラメータは、共通パラメータの変化に応じて変化する音質調整パラメータである。
2019026140.tif 000002
【特許請求の範囲】
【請求項１】
複数の個別パラメータが関連付けられた共通パラメータを調整することで画質及び音質を調整する映像音響再生装置であって、
前記共通パラメータの入力を受け付け、前記複数の個別パラメータのうちの、入力された前記共通パラメータに関連付けられる第１の個別パラメータ及び第２の個別パラメータを出力するパラメータ出力部と、
出力された前記第１の個別パラメータに応じて画質を調整する画質調整部と、
出力された前記第２の個別パラメータに応じて音質を調整する音質調整部と
を備え、
前記第１の個別パラメータは、前記共通パラメータの変化に応じて変化する画質調整パラメータであり、
前記第２の個別パラメータは、前記共通パラメータの変化に応じて変化する音質調整パラメータである
映像音響再生装置。
【請求項２】
前記共通パラメータは、前記第１の個別パラメータに関連付けられた第１の共通パラメータと前記第２の個別パラメータに関連付けられた第２の共通パラメータとを含み、
前記パラメータ出力部は、前記第１の共通パラメータ及び前記第２の共通パラメータの入力を受け付け、入力された前記第１の共通パラメータ及び前記第２の共通パラメータそれぞれに関連付けられる前記第１の個別パラメータ及び前記第２の個別パラメータを出力する
請求項１に記載の映像音響再生装置。
【請求項３】
前記共通パラメータは、対象とする視聴者の年齢段階を表現するパラメータである
請求項１または２に記載の映像音響再生装置。
【請求項４】
前記第１の個別パラメータは、加齢による視力の低下を補うように画質を変化させる画質調整パラメータであり、
前記第２の個別パラメータは、加齢による聴力の低下を補うように音質を変化させる音質調整パラメータであり、
前記第１の個別パラメータ及び前記第２の個別パラメータは、前記共通パラメータの変化に対して、連動して変化する
請求項３に記載の映像音響再生装置。
【請求項５】
前記第１の個別パラメータは、画質における輝度階調、輝度輪郭及び色調のうち少なくとも１つを増減するパラメータであり、
前記輝度階調、前記輝度輪郭及び前記色調のうち少なくとも１つの増減範囲は、視覚が健常な視聴者が知覚可能な画質を損なう範囲までカバーし、
前記第２の個別パラメータは、音質におけるダイナミックレンジを増減するパラメータである
請求項４に記載の映像音響再生装置。
【請求項６】
前記パラメータ出力部は、前記共通パラメータが表現する年齢段階が高くなるに従って、前記第１の個別パラメータを増加又は減少させ、
前記パラメータ出力部は、前記共通パラメータが表現する年齢段階が高くなるに従って、前記第２の個別パラメータを増加又は減少させる
請求項３〜５のいずれか一項に記載の映像音響再生装置。
【請求項７】
前記パラメータ出力部は、前記共通パラメータが表現する年齢段階が高くなるに従って、前記第１の個別パラメータを、視覚が健常な視聴者が知覚可能な画質を損なう程度にまで変化させ、
前記パラメータ出力部は、前記共通パラメータが表現する年齢段階が高くなるに従って、前記第２の個別パラメータを、聴覚が健常な視聴者が知覚可能な音質を損なう程度にまで変化させる
請求項６に記載の映像音響再生装置。
【請求項８】
前記第１の個別パラメータは、複数の前記画質調整パラメータを含み、
前記第２の個別パラメータは、複数の前記音質調整パラメータを含む
請求項１〜７のいずれか一項に記載の映像音響再生装置。
【請求項９】
複数の個別パラメータが関連付けられた共通パラメータの入力を受け付け、
前記複数の個別パラメータのうちの、入力された前記共通パラメータに関連付けられる第１の個別パラメータ及び第２の個別パラメータを出力し、
出力された前記第１の個別パラメータに応じて画質を調整し、
出力された前記第２の個別パラメータに応じて音質を調整し、
前記第１の個別パラメータは、前記共通パラメータの変化に応じて変化する画質調整パラメータであり、
前記第２の個別パラメータは、前記共通パラメータの変化に応じて変化する音質調整パラメータである
映像音響再生方法。
【請求項１０】
複数の個別パラメータが関連付けられた共通パラメータの入力を受け付け、
前記複数の個別パラメータのうちの、入力された前記共通パラメータに関連付けられる第１の個別パラメータ及び第２の個別パラメータを出力し、
出力された前記第１の個別パラメータに応じて画質を調整し、
出力された前記第２の個別パラメータに応じて音質を調整し、
前記第１の個別パラメータは、前記共通パラメータの変化に応じて変化する画質調整パラメータであり、
前記第２の個別パラメータは、前記共通パラメータの変化に応じて変化する音質調整パラメータであることを、
コンピュータに実行させるプログラム。
【請求項１１】
プロセッサに処理を実行させるための制御プログラムを備えた記録媒体であって、
前記記録媒体は不揮発性で、コンピュータ読み取り可能であり、
前記処理は、
複数の個別パラメータが関連付けられた共通パラメータの入力を受け付け、
前記複数の個別パラメータのうちの、入力された前記共通パラメータに関連付けられる第１の個別パラメータ及び第２の個別パラメータを出力し、
出力された前記第１の個別パラメータに応じて画質を調整し、
出力された前記第２の個別パラメータに応じて音質を調整する
ことを含み、
前記第１の個別パラメータは、前記共通パラメータの変化に応じて変化する画質調整パラメータであり、
前記第２の個別パラメータは、前記共通パラメータの変化に応じて変化する音質調整パラメータである
記録媒体。
【発明の詳細な説明】
【技術分野】
【０００１】
本開示は、映像音響再生装置、映像音響再生方法、プログラム及び記録媒体に関する。
【背景技術】
【０００２】
例えば、ＮＨＫ放送文化研究所の「国民生活時間調査（２０１５年）」によれば、図１に示すように、高齢者のうちの７０歳以上の世代は、若い世代に比べ非常に長い時間をテレビ視聴に費やしている。また、労働科学研究所の調査によれば、図２に示すように、加齢に伴う身体機能の低下の中でも、視力及び聴力の低下は、他の身体機能の低下に比べて著しいということが伺える。また、リジョブ社の調査によれば、図３Ａ及び図３Ｂに示すように、視力及び聴力とも、加齢に伴い同じような傾向で、機能上で低下していることが伺える。一方、そのような背景に鑑み、高齢者に適した画質の調整を行う技術開発が行われている。例えば、特許文献１は、輝度階調、輝度輪郭及び色調のうちの少なくとも１つに対して強調を加えることにより、画像を補正する画像補正装置を開示している。また、高齢者に適した音質の調整を行う技術開発も行われている。例えば、特許文献２は、音量の増大に応じて、音声信号の周波数特性を変更する音声再生装置を開示している。
【先行技術文献】
【特許文献】
【０００３】
【特許文献１】国際公開第２０１６／０１７０８１号
【特許文献２】特許第５１４９９９１号公報
【発明の概要】
【発明が解決しようとする課題】
【０００４】
図３Ａ及び図３Ｂに示すように、視力及び聴力の機能はいずれも、加齢にともない単調に低下し、特に５０代後半以降著しく低下する点において、同様の低下傾向にある。しかしながら、特許文献１及び２に示されるように、視聴者の身体状態に適するように画質と音質とを連動して調整する技術はない。【０００５】
本開示は、視聴者が、自身に適した画質及び音質の調整を容易に行うことを可能にする映像音響再生装置、映像音響再生方法、プログラム及び記録媒体を提供する。
【課題を解決するための手段】
【０００６】
本開示の一態様に係る映像音響再生装置は、複数の個別パラメータが関連付けられた共通パラメータを調整することで画質及び音質を調整する映像音響再生装置であって、前記共通パラメータの入力を受け付け、前記複数の個別パラメータのうちの、入力された前記共通パラメータに関連付けられる第１の個別パラメータ及び第２の個別パラメータを出力するパラメータ出力部と、出力された前記第１の個別パラメータに応じて画質を調整する画質調整部と、出力された前記第２の個別パラメータに応じて音質を調整する音質調整部とを備え、前記第１の個別パラメータは、前記共通パラメータの変化に応じて変化する画質調整パラメータであり、前記第２の個別パラメータは、前記共通パラメータの変化に応じて変化する音質調整パラメータである。【０００７】
本開示の一態様に係る映像音響再生方法は、複数の個別パラメータが関連付けられた共通パラメータの入力を受け付け、前記複数の個別パラメータのうちの、入力された前記共通パラメータに関連付けられる第１の個別パラメータ及び第２の個別パラメータを出力し、出力された前記第１の個別パラメータに応じて画質を調整し、出力された前記第２の個別パラメータに応じて音質を調整し、前記第１の個別パラメータは、前記共通パラメータの変化に応じて変化する画質調整パラメータであり、前記第２の個別パラメータは、前記共通パラメータの変化に応じて変化する音質調整パラメータである。【０００８】
本開示の一態様に係るプログラムは、複数の個別パラメータが関連付けられた共通パラメータの入力を受け付け、前記複数の個別パラメータのうちの、入力された前記共通パラメータに関連付けられる第１の個別パラメータ及び第２の個別パラメータを出力し、出力された前記第１の個別パラメータに応じて画質を調整し、出力された前記第２の個別パラメータに応じて音質を調整し、前記第１の個別パラメータは、前記共通パラメータの変化に応じて変化する画質調整パラメータであり、前記第２の個別パラメータは、前記共通パラメータの変化に応じて変化する音質調整パラメータであることを、コンピュータに実行させる。【０００９】
本開示の一態様に係る記録媒体は、プロセッサに処理を実行させるための制御プログラムを備えた記録媒体であって、前記記録媒体は不揮発性で、コンピュータ読み取り可能であり、前記処理は、複数の個別パラメータが関連付けられた共通パラメータの入力を受け付け、前記複数の個別パラメータのうちの、入力された前記共通パラメータに関連付けられる第１の個別パラメータ及び第２の個別パラメータを出力し、出力された前記第１の個別パラメータに応じて画質を調整し、出力された前記第２の個別パラメータに応じて音質を調整することを含み、前記第１の個別パラメータは、前記共通パラメータの変化に応じて変化する画質調整パラメータであり、前記第２の個別パラメータは、前記共通パラメータの変化に応じて変化する音質調整パラメータである。【００１０】
なお、上記の包括的又は具体的な態様は、システム、装置、方法、集積回路、コンピュータプログラム又はコンピュータ読み取り可能な記録媒体で実現されてもよく、システム、装置、方法、集積回路、コンピュータプログラム及び記録媒体の任意な組み合わせで実現されてもよい。コンピュータ読み取り可能な記録媒体は、例えばＣＤ−ＲＯＭ（Ｃｏｍｐａｃｔ  Ｄｉｓｃ−Ｒｅａｄ  Ｏｎｌｙ  Ｍｅｍｏｒｙ）等の不揮発性の記録媒体を含む。
【発明の効果】
【００１１】
本開示の映像音響再生装置等によれば、視聴者が自身に適した画質及び音質の調整を容易に行うことが可能になる。
【図面の簡単な説明】
【００１２】
【図１】図１は、年代別のテレビの視聴時間の統計データの例を示す図である。
【図２】図２は、加齢に伴う各種身体機能の低下の統計データの例を示す図である。
【図３Ａ】図３Ａは、加齢による視力の低下の統計データの例を示す図である。
【図３Ｂ】図３Ｂは、加齢による聴力の低下の統計データの例を示す図である。
【図４】図４は、実施の形態１に係る映像音響再生装置の機能的な構成の一例を示す図である。
【図５】図５は、実施の形態１における共通パラメータと個別パラメータとの関係を示す図である。
【図６】図６は、画質調整パラメータセットの一例を示す図である。
【図７】図７は、音質調整パラメータセットの一例を示す図である。
【図８】図８は、実施の形態２に係る映像音響再生装置の機能的な構成の一例を示す図である。
【図９】図９は、実施の形態２における共通パラメータと個別パラメータとの関係を示す図である。
【発明を実施するための形態】
【００１３】
本発明者らは、「背景技術」の欄に記載したように、視聴者の加齢の程度に合わせて画質及び音声を調整する技術を検討した。特に、本発明者らは、特許文献１及び２等の技術を検討し、視聴者の身体状態に適するように画質と音質とを連動して調整する技術が存在しないことを見出し、そのような技術を検討した。鋭意検討の結果、本発明者らは、以下に示すような映像音響再生装置等を創案した。
【００１４】
そこで、本開示の一態様に係る映像音響再生装置は、複数の個別パラメータが関連付けられた共通パラメータを調整することで画質及び音質を調整する映像音響再生装置であって、前記共通パラメータの入力を受け付け、前記複数の個別パラメータのうちの、入力された前記共通パラメータに関連付けられる第１の個別パラメータ及び第２の個別パラメータを出力するパラメータ出力部と、出力された前記第１の個別パラメータに応じて画質を調整する画質調整部と、出力された前記第２の個別パラメータに応じて音質を調整する音質調整部とを備え、前記第１の個別パラメータは、前記共通パラメータの変化に応じて変化する画質調整パラメータであり、前記第２の個別パラメータは、前記共通パラメータの変化に応じて変化する音質調整パラメータである。
【００１５】
上記態様によれば、視聴者が所望する共通パラメータを映像音響再生装置に入力することによって、映像音響再生装置は、視聴者が所望する画質及び音質に画像及び音声を調整する。従って、視聴者が、自身に適した画質及び音質の調整を容易に行うことができる。
【００１６】
本開示の一態様に係る映像音響再生装置において、前記共通パラメータは、前記第１の個別パラメータに関連付けられた第１の共通パラメータと前記第２の個別パラメータに関連付けられた第２の共通パラメータとを含み、前記パラメータ出力部は、前記第１の共通パラメータ及び前記第２の共通パラメータの入力を受け付け、入力された前記第１の共通パラメータ及び前記第２の共通パラメータそれぞれに関連付けられる前記第１の個別パラメータ及び前記第２の個別パラメータを出力してもよい。
【００１７】
上記態様によれば、視聴者が所望する第１の共通パラメータ及び第２の共通パラメータを映像音響再生装置に入力することによって、映像音響再生装置は、画像及び音声を個別に、視聴者が所望する画質及び音質に調整する。従って、視聴者が、自身に適した画質及び音質の調整を個別に行うことができる。
【００１８】
本開示の一態様に係る映像音響再生装置において、前記共通パラメータは、対象とする視聴者の年齢段階を表現するパラメータであってもよい。
【００１９】
上記態様によれば、共通パラメータの判断基準が視聴者の年齢である。このため、視聴者は、自身の身体状態に応じて、共通パラメータを容易に設定することができる。
【００２０】
本開示の一態様に係る映像音響再生装置において、前記第１の個別パラメータは、加齢による視力の低下を補うように画質を変化させる画質調整パラメータであり、前記第２の個別パラメータは、加齢による聴力の低下を補うように音質を変化させる音質調整パラメータであり、前記第１の個別パラメータ及び前記第２の個別パラメータは、前記共通パラメータの変化に対して、連動して変化してもよい。
【００２１】
上記態様によれば、例えば、共通パラメータの値が対応する年齢段階が高くなる程、画質調整パラメータが加齢による視力の低下を補う程度を大きくし、音質調整パラメータが加齢による聴力の低下を補う程度を大きくするように設定することができる。これにより、映像音響再生装置は、加齢に伴う視覚の低下と聴覚の低下とを補うことで高齢者の視聴に適した画質調整及び音質調整を可能にする。
【００２２】
本開示の一態様に係る映像音響再生装置において、前記第１の個別パラメータは、画質における輝度階調、輝度輪郭及び色調のうち少なくとも１つを増減するパラメータであり、前記輝度階調、前記輝度輪郭及び前記色調のうち少なくとも１つの増減範囲は、視覚が健常な視聴者が知覚可能な画質を損なう範囲までカバーし、前記第２の個別パラメータは、音質におけるダイナミックレンジを増減するパラメータであってもよい。
【００２３】
上記態様によれば、第１の個別パラメータは、視覚が健常な視聴者が知覚可能な画質を損なう範囲までカバーするように、調整される。上記範囲を、高齢者が知覚可能な画質の範囲と対応付けることによって、第１の個別パラメータは、若年層から高齢層にまで適合する画質をもたらすことができる。よって、映像音響再生装置の適用対象視聴者の範囲を広くすることが可能になる。
【００２４】
本開示の一態様に係る映像音響再生装置において、前記パラメータ出力部は、前記共通パラメータが表現する年齢段階が高くなるに従って、前記第１の個別パラメータを増加又は減少させ、前記パラメータ出力部は、前記共通パラメータが表現する年齢段階が高くなるに従って、前記第２の個別パラメータを増加又は減少させてもよい。
【００２５】
上記態様によれば、第１の個別パラメータ及び第２の個別パラメータは、年齢段階の増加又は減少に対して、単調に増加又は減少する。よって、第１の個別パラメータ及び第２の個別パラメータと年齢段階との対応付けが、確実に且つ容易に可能である。また、第１の個別パラメータ及び第２の個別パラメータを増加又は減少する際、視聴者が知覚する画質及び音質の変化が円滑である。
【００２６】
本開示の一態様に係る映像音響再生装置において、前記パラメータ出力部は、前記共通パラメータが表現する年齢段階が高くなるに従って、前記第１の個別パラメータを、視覚が健常な視聴者が知覚可能な画質を損なう程度にまで変化させ、前記パラメータ出力部は、前記共通パラメータが表現する年齢段階が高くなるに従って、前記第２の個別パラメータを、聴覚が健常な視聴者が知覚可能な音質を損なう程度にまで変化させてもよい。
【００２７】
上記態様において、第１の個別パラメータ及び第２の個別パラメータは、視覚が健常な視聴者、あるいは聴覚が健常な視聴者が知覚するのに支障が生じる程度まで、変化され得る。例えば、視覚が健常な視聴者が知覚可能な画質を損なう程度、及び、聴覚が健常な視聴者が知覚可能な音質を損なう程度を、高齢者には支障なく知覚できるが、若年層には不快である等の知覚に支障が生じる程度としてもよい。このような場合、パラメータ出力部は、若年層から高齢層にまでそれぞれ適合する第１の個別パラメータ及び第２の個別パラメータを出力することができる。
【００２８】
本開示の一態様に係る映像音響再生装置において、前記第１の個別パラメータは、複数の前記画質調整パラメータを含み、前記第２の個別パラメータは、複数の前記音質調整パラメータを含んでもよい。
【００２９】
上記態様によれば、映像音響再生装置は、複数の画質調整パラメータを調整することによって画質を調整し、複数の音質調整パラメータを調整することによって音質を調整する。よって、共通パラメータの内容を忠実に反映し且つ視聴者に適した画質調整及び音質調整が可能になる。
【００３０】
本開示の一態様に係る映像音響再生方法は、複数の個別パラメータが関連付けられた共通パラメータの入力を受け付け、前記複数の個別パラメータのうちの、入力された前記共通パラメータに関連付けられる第１の個別パラメータ及び第２の個別パラメータを出力し、出力された前記第１の個別パラメータに応じて画質を調整し、出力された前記第２の個別パラメータに応じて音質を調整し、前記第１の個別パラメータは、前記共通パラメータの変化に応じて変化する画質調整パラメータであり、前記第２の個別パラメータは、前記共通パラメータの変化に応じて変化する音質調整パラメータである。上記態様によれば、本開示の一態様に係る映像音響再生装置と同様の効果が得られる。
【００３１】
本開示の一態様に係るプログラムは、複数の個別パラメータが関連付けられた共通パラメータの入力を受け付け、前記複数の個別パラメータのうちの、入力された前記共通パラメータに関連付けられる第１の個別パラメータ及び第２の個別パラメータを出力し、出力された前記第１の個別パラメータに応じて画質を調整し、出力された前記第２の個別パラメータに応じて音質を調整し、前記第１の個別パラメータは、前記共通パラメータの変化に応じて変化する画質調整パラメータであり、前記第２の個別パラメータは、前記共通パラメータの変化に応じて変化する音質調整パラメータであることを、コンピュータに実行させる。上記態様によれば、本開示の一態様に係る映像音響再生装置と同様の効果が得られる。
【００３２】
本開示の一態様に係る記録媒体は、プロセッサに処理を実行させるための制御プログラムを備えた記録媒体であって、前記記録媒体は不揮発性で、コンピュータ読み取り可能であり、前記処理は、複数の個別パラメータが関連付けられた共通パラメータの入力を受け付け、前記複数の個別パラメータのうちの、入力された前記共通パラメータに関連付けられる第１の個別パラメータ及び第２の個別パラメータを出力し、出力された前記第１の個別パラメータに応じて画質を調整し、出力された前記第２の個別パラメータに応じて音質を調整することを含み、前記第１の個別パラメータは、前記共通パラメータの変化に応じて変化する画質調整パラメータであり、前記第２の個別パラメータは、前記共通パラメータの変化に応じて変化する音質調整パラメータである。上記態様によれば、本開示の一態様に係る映像音響再生装置と同様の効果が得られる。
【００３３】
以下、本開示の実施の形態について、図面を用いて詳細に説明する。なお、以下で説明する実施の形態は、いずれも本開示の一具体例を示すものである。以下の実施の形態で示される数値、形状、材料、構成要素、構成要素の配置位置及び接続形態、使用手順、並びに通信手順等は、一例であり、本開示を限定する主旨ではない。また、以下の実施の形態における構成要素のうち、最上位概念を示す独立請求項に記載されていない構成要素については、任意の構成要素として説明される。また、各図は、必ずしも厳密に図示したものではない。各図において、実質的に同一の構成については同一の符号を付し、重複する説明は省略又は簡略化する。
【００３４】
［実施の形態１］
実施の形態１に係る映像音響再生装置１を説明する。図４には、実施の形態１に係る映像音響再生装置１の機能的な構成の一例が示されている。図４に示すように、映像音響再生装置１は、画像表示パネル１０８及びスピーカ１０９に対して入力される画像信号及び音声信号を調整し、画像表示パネル１０８及びスピーカ１０９に出力する。画像表示パネル１０８及びスピーカ１０９が構成する装置の一例は、デジタルテレビジョン受信機である。画像表示パネル１０８の一例は、液晶パネル、又は、有機若しくは無機ＥＬ（Ｅｌｅｃｔｒｏｌｕｍｉｎｅｓｃｅｎｃｅ）である。これに限定されるものではないが、本実施の形態では、映像音響再生装置１は、リモートコントローラ（ｒｅｍｏｔｅ  ｃｏｎｔｒｏｌ、以下、「リモコン」と称す）２００による遠隔操作を受け付ける。映像音響再生装置１とリモコン２００との間の無線通信の一例は、赤外線通信、又は電波による通信である。
【００３５】
映像音響再生装置１は、ユーザインターフェース部１００と、検出部１０１と、第一変換部１０２と、第二変換部１０３と、画質調整パラメータテーブル１０４と、音質調整パラメータテーブル１０５と、画質調整部１０６と、音質調整部１０７とを備える。検出部１０１、第一変換部１０２及び第二変換部１０３は、パラメータ出力部１１０を構成する。
【００３６】
ユーザインターフェース部１００は、後述の画質調整パラメータと後述の音質調整パラメータとが関連付けられた共通パラメータを、ユーザが調整及び設定することを可能にする。ユーザインターフェース部１００は、画像表示パネル１０８及び／又はスピーカ１０９を備える装置、並びに、リモコン２００のうちの少なくとも１つを通じて操作される。ユーザインターフェース部１００は、画像表示パネル１０８及び／又はスピーカ１０９を備える装置、並びに、リモコン２００のうちの少なくとも１つにユーザが入力する情報を取得し、取得した情報に対応する信号を、検出部１０１に出力する。上記情報の例は、共通パラメータの情報である。
【００３７】
このようなユーザインターフェース部１００は、画像表示パネル１０８に表示される表示画像を構成してもよく、リモコン２００の表示パネルを構成してもよく、リモコン２００の表示パネルに表示される表示画像を構成してもよい。これらの場合、ユーザインターフェース部１００は、画像表示パネル１０８及び／又はスピーカ１０９を備える装置、並びに、リモコン２００等を介してユーザによって入力される情報に対応して、表示画像を変更しつつ、当該情報に対応する信号を出力する。又は、ユーザインターフェース部１００は、画像表示パネル１０８及び／若しくはスピーカ１０９を備える装置、又は、リモコン２００に配置されたスイッチ、ボタン、ダイヤル、スライダ等の物理的な操作装置を構成してもよい。この場合、ユーザインターフェース部１００は、ユーザよって操作装置に入力される操作に対応する信号を出力する。
【００３８】
検出部１０１は、ユーザインターフェース部１００を介して指定された共通パラメータの情報を検出し、検出結果を第一変換部１０２及び第二変換部１０３に出力する。検出部１０１は、ユーザインターフェース部１００から取得する情報から、共通パラメータの情報を検出する。共通パラメータの情報の一例は、共通パラメータの設定値である。本実施の形態では、共通パラメータは、対象とする視聴者の年齢段階を表現するパラメータである。共通パラメータは、年齢段階に対応する数値によって表されてもよく、例えば、年齢段階が高くなるほど、共通パラメータの数値が大きくなるように設定されてもよい。
【００３９】
第一変換部１０２は、検出部１０１で検出された共通パラメータの値を画質調整パラメータに変換する。具体的には、第一変換部１０２は、画質調整パラメータテーブル１０４に格納された共通パラメータと画質調整パラメータとの関係を参照し、共通パラメータの値に対応する画質調整パラメータの値を決定し、画質調整部１０６に出力する。
【００４０】
第二変換部１０３は、検出部１０１で検出された共通パラメータの値を音質調整パラメータに変換する。具体的には、第二変換部１０３は、音質調整パラメータテーブル１０５に格納された共通パラメータと音質調整パラメータとの関係を参照し、共通パラメータの値に対応する音質調整パラメータの値を決定し、音質調整部１０７に出力する。
【００４１】
画質調整パラメータテーブル１０４及び音質調整パラメータテーブル１０５は、情報を格納することができ、且つ、格納した情報の取り出しを可能にする。画質調整パラメータテーブル１０４及び音質調整パラメータテーブル１０５は、例えば、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、フラッシュメモリなどの半導体メモリ、ハードディスクドライブ、又は、ＳＳＤ（Ｓｏｌｉｄ  Ｓｔａｔｅ  Ｄｒｉｖｅ）等の記憶装置によって実現される。画質調整パラメータテーブル１０４は、共通パラメータの値に応じた画質調整パラメータの値を格納する。音質調整パラメータテーブル１０５は、共通パラメータの値に応じた音質調整パラメータの値を格納する。
【００４２】
画質調整部１０６は、第一変換部１０２の出力結果である画質調整パラメータに応じて、画像表示パネル１０８に対して入力される画像信号の画質を調整した後に、当該画像信号を画像表示パネル１０８に出力する。
【００４３】
音質調整部１０７は、第二変換部１０３の出力結果である音質調整パラメータに応じて、スピーカ１０９に対して入力される音声信号の音質を調整した後に、当該音声信号をスピーカに出力する。
【００４４】
画像表示パネル１０８は、画質調整部１０６によって調整された画像信号を表示する。スピーカ１０９は、音質調整部１０７によって調整された音声信号を出力する。
【００４５】
ユーザインターフェース部１００、検出部１０１、第一変換部１０２、第二変換部１０３、画質調整部１０６及び音質調整部１０７からなる映像音響再生装置１の構成要素は、ＣＰＵ（Ｃｅｎｔｒａｌ  Ｐｒｏｃｅｓｓｉｎｇ  Ｕｎｉｔ）又はＤＳＰ（Ｄｉｇｉｔａｌ  Ｓｉｇｎａｌ  Ｐｒｏｃｅｓｓｏｒ）等のプロセッサ、ＲＡＭ、ＲＯＭなどからなるコンピュータシステム（図示せず）により構成されてもよい。上記構成要素の一部又は全部の機能は、ＣＰＵ又はＤＳＰがＲＡＭを作業用のメモリとして用いてＲＯＭに記録されたプログラムを実行することによって達成されてもよい。また、上記構成要素の一部又は全部の機能は、電子回路又は集積回路等の専用のハードウェア回路によって達成されてもよい。上記構成要素の一部又は全部の機能は、上記のソフトウェア機能とハードウェア回路との組み合わせによって構成されてもよい。プログラムは、ＲＯＭに予め記録されたものであってもよく、アプリケーションとして、インターネット等の通信網を介した通信、モバイル通信規格による通信、その他の無線ネットワーク、有線ネットワーク、又は放送等で提供されるものであってもよい。
【００４６】
また、ユーザインターフェース部１００及びパラメータ出力部１１０は、同一の装置に搭載されてもよく、別々の装置に搭載されてもよい。後者の場合、ユーザインターフェース部１００及びパラメータ出力部１１０は、無線通信により互いに接続されてもよい。パラメータ出力部１１０、画質調整部１０６及び音質調整部１０７は、同一の装置に搭載されてもよく、別々の装置に搭載されてもよい。後者の場合、パラメータ出力部１１０と画質調整部１０６との接続、及び、パラメータ出力部１１０と音質調整部１０７との接続は、無線通信を介した接続であってもよい。無線通信の一例は、赤外線通信、又は電波による通信である。電波による通信の一例は、Ｂｌｕｅｔооｔｈ（登録商標）、ＺｉｇＢｅｅ（登録商標）等の近距離無線通信、又は、Ｗｉ−Ｆｉ（登録商標）（Ｗｉｒｅｌｅｓｓ  Ｆｉｄｅｌｉｔｙ）等の無線ＬＡＮ（Ｌｏｃａｌ  Ａｒｅａ  Ｎｅｔｗｏｒｋ）である。
【００４７】
さらに、共通パラメータ及び個別パラメータの詳細を説明する。共通パラメータは、複数の個別パラメータと関連付けられている。画質調整パラメータは、複数の個別パラメータのうちの第１の個別パラメータの一例であり、音質調整パラメータは、複数の個別パラメータのうちの第２の個別パラメータの一例である。図５には、共通パラメータと個別パラメータとの関係が示されている。図５の中段には、ユーザインターフェース部１００における共通パラメータの表示部分の一例が示されている。図２の表示部分１００ａは、共通パラメータを表示する画像を構成してもよく、共通パラメータを画像として表示する表示パネルを構成してもよく、共通パラメータの変化と連動する物理的な操作装置を構成してもよい。本実施の形態では、共通パラメータは、ユーザ（視聴者）の年齢を昇順に又は降順にパラメータ化したものである。言い換えれば、共通パラメータは、ユーザの年齢段階をパラメータ化したものである。共通パラメータは、年齢軸１００ｂに沿って変化する。簡単化のために年齢軸１００ｂの起点を「低年齢」と表現し、終点を「高年齢」と表現している。表示部分１００ａは、年齢軸１００ｂと、年齢軸１００ｂに沿って移動するスライダ１００ｃとを含む。ユーザインターフェース部１００は、ユーザによってユーザインターフェース部１００に入力される指令に従って、スライダ１００ｃを年齢軸１００ｂに沿って移動させる。
【００４８】
また、図５の上段には、画質調整パラメータテーブル１０４に格納されるテーブルの例が示されている。このテーブルでは、第１の個別パラメータを構成する画質調整パラメータが、ユーザの年齢段階をインデックスとして格納されている。ユーザの年齢段階毎に、共通パラメータに応じた画質調整パラメータが、予めテーブルで格納されており、格納された画質調整パラメータは、共通パラメータと関連づけられている。これに限定されるものではないが、本実施の形態では、年齢段階は、連続的な変数で構成されず、若年層から高齢層までの範囲を複数の段階で区切って生成される複数の指標で構成されている。具体的には、年齢段階は、年代毎に区分され、「若年層」、「３０代」、「４０代」、「５０代」、「６０代」及び「高齢層」の指標で構成されている。なお、年齢段階は、連続的な変数で構成されてもよい。また、表示部分１００ａにおいて、年齢軸１００ｂに、年齢段階の各指標が表記されていてもよい。なお、本明細書では、「高齢層」及び「高齢者」は、６０歳代以降の年齢層及びその年齢層の人のことを指すものとする。しかしながら、高齢層及び高齢者の対象年齢は、６０歳代以降に限定されない。また、本明細書では、年齢を表す「６０歳代」、「５０歳代」等の表現を、「６０代」、「５０代」等の表現を用いて示す場合がある。
【００４９】
そして、各指標に対して、画質調整パラメータが設定されている。具体的には、各指標には、複数の画質調整パラメータからなる画質調整パラメータセットが設定されている。さらに、各指標に対応するユーザの年代の平均的な視覚の特性に適するように合わせ込んだ複数の画質調整用のパラメータが、各指標に対して設定されている。
【００５０】
例えば、図６には、画質調整パラメータセットの一例が示されている。ヒストグラム適応階調補正、平均輝度適応階調補正、輝度輪郭補正、全色彩度補正、全色明度補正、特定色色相補正、特定色彩度補正及び特定色明度補正からなる各画質調整パラメータの変数値が、年代毎の視覚の特性に適合するように各指標に対して設定されている。画質調整パラメータセットには、上記の画質調整パラメータの少なくとも１つが含まれてもよい。ここで、ヒストグラム適応階調補正及び平均輝度適応階調補正は、輝度階調の増減の一例であり、輝度輪郭補正は、輝度輪郭の増減の一例であり、全色彩度補正、全色明度補正、特定色色相補正、特定色彩度補正及び特定色明度補正は、色調の増減の一例である。なお、ある年代の視覚の特性に適合するとは、当該年代のユーザにとって画像が見やすいということである。また、図６に示すように、画質調整パラメータの値は、年齢段階が高くなるに従い、単調に増加又は減少する。このような画質調整パラメータは、加齢によるユーザの視力の低下を補うように画質を変化させるパラメータである。
【００５１】
指標が高齢層に向かうに従って、画質調整パラメータセット内の画質調整パラメータの値は、視覚が健常なユーザが知覚可能である画質を損なう程度にまで画質を変化させる過剰な値に変化する。例えば、このような画質調整パラメータの値は、従来から商品化されているテレビジョン受信機の品質からみれば、許容されないような画質を提供することになる。
【００５２】
図５の下段には、音質調整パラメータテーブル１０５に格納されるテーブルの例が示されている。このテーブルでは、第２の個別パラメータを構成する音質調整パラメータが、ユーザの年齢段階をインデックスとして格納されている。ユーザの年齢段階毎に、共通パラメータに応じた音質調整パラメータが、予めテーブルで格納されており、格納された音質調整パラメータは、共通パラメータと関連づけられている。これに限定されるものではないが、本実施の形態では、音質調整パラメータにおける年齢段階は、画質調整パラメータと同様の複数の指標で構成されている。なお、年齢段階は、連続的な変数で構成されてもよい。
【００５３】
そして、各指標に対して、音質調整パラメータが設定されている。具体的には、各指標には、複数の音質調整パラメータからなる音質調整パラメータセットが設定されている。さらに、各指標に対応するユーザの年代の平均的な聴覚の特性に適するように合わせ込んだ複数の音質調整用のパラメータが、各指標に対して設定されている。具体的には、音質調整パラメータセットは、例えば、加齢によって劣化する高域周波数成分の知覚感度を補正するようなフィルタ係数を含んでもよく、加齢によって生じるオーバーリクルートメント現象を補正するようなダイナミックレンジ圧縮処理の圧縮の度合いを年代毎に合わせ込んだパラメータを含んでもよい。
【００５４】
例えば、図７には、音質調整パラメータセットの一例が示されている。高域周波数成分補正のフィルタ係数、及び音圧のダイナミックレンジ圧縮率からなる各音質調整パラメータの変数値が、年代毎の聴覚の特性に適合するように各指標に対して設定されている。音質調整パラメータセットには、上記の音質調整パラメータの少なくとも１つが含まれてもよい。ここで、ダイナミックレンジを増加する又は減少することはそれぞれ、ダイナミックレンジ圧縮率を減少する又は増加することに相当する。なお、ある年代の聴覚の特性に適合するとは、当該年代のユーザにとって音声が聞こえやすいということである。また、図７に示すように、音質調整パラメータの値は、年齢段階が高くなるに従い、単調に増加又は減少する。このような音質調整パラメータは、加齢によるユーザの聴力の低下を補うように音質を変化させるパラメータである。そして、音質調整パラメータは、画質パラメータと共に、年齢段階の変化、つまり、共通パラメータの変化に対して、連動して変化する。
【００５５】
指標が高齢層に向かうに従って、音質調整パラメータセット内の音質調整パラメータの値は、聴覚が健常なユーザが知覚可能である音質を損なう程度にまで音質を変化させる過剰な値に変化する。例えば、このような音質調整パラメータの値は、従来から商品化されているテレビジョンの品質からみれば、許容されないような音質を提供することになる。
【００５６】
図４及び図５を参照して、以上のように構成された映像音響再生装置１の動作を説明する。まず、ユーザは、ユーザインターフェース部１００を用いて、共通パラメータを、ユーザ自身の年齢段階に設定する。つまり、ユーザは、表示部分１００ａのスライダ１００ｃを、ユーザ自身の年齢段階の位置に移動させる。例えば、ユーザは、２０歳であれば、パラメータの起点である「低年齢」の位置にスライダ１００ｃを合わせればよい。ユーザは、７０歳であれば、スライダ１００ｃを図面上で右方向に滑らせ、終点である「高年齢」の近くに合わせればよい。もちろん、このスライダ１００ｃの位置は、実年齢を反映する必要はなく、ユーザ自身の自覚に基づいて設定されてよい。
【００５７】
なお、図５の表示部分１００ａでは、簡単化のために、年齢軸１００ｂの起点を「低年齢」と表現し、終点を「高年齢」と表現しているが、これに限らない。起点には特に名称を設けず、終点に向けて「年齢のレベルをご指定ください」という趣旨の記載と矢印とが表示されてもよい。又は、表示部分１００ａにおいて、直接的に年齢そのものが指定されるように構成されてもよい。その場合、各年齢をインデックスとして、画質調整パラメータセット及び音質調整パラメータセットが定義されてもよい。
【００５８】
あるいは、表示部分１００ａにおいて、年齢そのもの及び年齢を想起させる表現は敢えて用いず、画質及び音質の状態を示す表現が用いられてもよい。例えば、図５において、「低年齢」と記載される起点には、「すっきり」という形容表現が用いられ、「高年齢」と記載される終点には、「ギラギラ」という形容表現が用いられてもよい。そして、表示部分１００ａ、並びに、画像表示パネル１０８及び／又はスピーカ１０９を備える装置の取扱説明書等に、形容表現の説明が記載されてもよい。当該説明は、例えば「加齢に伴ってギラギラの画像がお勧めです」などと記載され、加齢に伴うスライダ１００ｃの設定を誘導してもよい。
【００５９】
また、図４では、ユーザインターフェース部１００は、画像表示パネル１０８と別の場所に示されているが、画像表示パネル１０８に、図５の表示部分１００ａのような設定画面を表示してもよい。また、設定画面の操作は、リモコン２００で行われてもよい。リモコン２００は、画像表示パネル１０８に付属のリモコンであってもよい。
【００６０】
また、ユーザインターフェース部１００は、図５のように、左右方向にスライドするスライダ１００ｃの位置によって、共通パラメータを設定するとして定義しているが、これに限定されない。ユーザインターフェース部１００は、スライダ１００ｃの代わりに、回転式の所謂「つまみ」をイメージさせるようなアイコンを用いてもよい。そして、ユーザインターフェース部１００は、左方向又は右方向に回された当該アイコンの回転位置によって、共通パラメータを設定してもよい。
【００６１】
次に、検出部１０１は、ユーザインターフェース部１００からスライダ１００ｃの位置を取得し、取得した位置に対応する共通パラメータの値を検出する。本説明では、図５の表示部分１００ａに示すように、スライダ１００ｃの位置が、年齢軸１００ｂの中央よりやや高年齢寄りに設定されたとする。
【００６２】
次いで、第一変換部１０２は、画質調整パラメータテーブル１０４を参照することによって、検出部１０１で検出された共通パラメータの値を画質調整パラメータ、具体的には、画質調整パラメータセットに変換する。第一変換部１０２は、年齢軸１００ｂ上のスライダ１００ｃの位置に対応する共通パラメータの値をインデックスとして、画質調整パラメータテーブル１０４の中から当該インデックスに対応する画質調整パラメータセットを選択し、画質調整部１０６に出力する。
【００６３】
例えば、複数の画質調整パラメータセットに対応する複数のインデックスの中に、スライダ１００ｃの位置の共通パラメータの値と合致するインデックスがない場合、第一変換部１０２は、共通パラメータの値に最も近いインデックスを選択し、選択したインデックスに対応する画質調整パラメータセットに決定してもよい。図５の例では、スライダ１００ｃの位置は、いずれの画質調整パラメータセットの位置にも合致していないため、第一変換部１０２は、スライダ１００ｃの位置に最も近い５０代向きの画質調整パラメータセットを選択する。選択された５０代向きの画質調整パラメータセットのインデックスは、共通パラメータの値に最も近いインデックスでもある。又は、第一変換部１０２は、共通パラメータの値に近い少なくとも２つのインデックスを選択し、選択したインデックスに対応する画質調整パラメータセットを用いて補完することによって、共通パラメータの値に対応する画質調整パラメータセットを算出してもよい。図５の例では、第一変換部１０２は、４０、５０及び６０代向きの画質調整パラメータセットを用いて補完してもよい。
【００６４】
なお、インデックスが高年齢を指す値に近づくほど、当該インデックスに関連付けられた画質調整パラメータは、視覚が健常な視聴者が知覚可能である画質を損なう程度にまで画質を変化させる過剰な値になる。映像音響再生装置１は、画質が損なわれ得ることをユーザに告知してもよい。例えば、ユーザが設定した共通パラメータに対応する画質調整パラメータの値が、視覚が健常な視聴者が知覚可能である画質を損なうレベル又はそれ以上に達した場合、映像音響再生装置１は、例えば、スライダ１００ｃの色を変える、又は、その旨を伝えるメッセージを表示する等してもよい。
【００６５】
また、検出部１０１の検出後、第二変換部１０３は、音質調整パラメータテーブル１０５を参照することによって、検出部１０１で検出された共通パラメータの値を音質調整パラメータ、具体的には、音質調整パラメータセットに変換する。第二変換部１０３は、年齢軸１００ｂ上のスライダ１００ｃの位置に対応する共通パラメータの値をインデックスとして、音質調整パラメータテーブル１０５の中から当該インデックスに対応する音質調整パラメータセットを選択し、音質調整部１０７に出力する。
【００６６】
例えば、複数の音質調整パラメータセットに対応する複数のインデックスの中に、スライダ１００ｃの位置の共通パラメータの値と合致するインデックスがない場合、第二変換部１０３は、共通パラメータの値に最も近いインデックスを選択し、選択したインデックスに対応する音質調整パラメータセットに決定してもよい。図５の例では、第二変換部１０３は、スライダ１００ｃの位置に最も近い５０代向きの音質調整パラメータセットを選択する。又は、第二変換部１０３は、共通パラメータの値に近い少なくとも２つのインデックスに対応する音質調整パラメータセットを用いて補完することによって、共通パラメータの値に対応する音質調整パラメータセットを算出してもよい。図５の例では、第二変換部１０３は、４０、５０及び６０代向きの音質調整パラメータセットを用いて補完してもよい。
【００６７】
なお、インデックスが高年齢を指す値に近づくほど、当該インデックスに関連付けられた音質調整パラメータは、聴覚が健常な視聴者が知覚可能である音質を損なう程度にまで音質を変化させる過剰な値になる。映像音響再生装置１は、音質が損なわれ得ることをユーザに告知してもよい。例えば、映像音響再生装置１は、画質質調整パラメータの場合と同様に、スライダ１００ｃの色を変える、又は、その旨を伝えるメッセージを表示する等により告知してもよい。
【００６８】
上述のような映像音響再生装置１は、スライダ１００ｃの移動等によって、画質及び音質を損なわない範囲の通常の調整範囲と、画質又は音質を損なう過剰な調整範囲とにわたって、画質及び音質を連続的に調整及び設定することを可能にする。このような映像音響再生装置１は、「加齢による劣化」という身体に継時的に連続的に生じる現象にマッチしたユーザインターフェースを提供する。
【００６９】
以上のように画質調整パラメータセット及び音質調整パラメータセットの設定後、実際に映像音響再生装置１にて視聴を行う場合、画質調整部１０６は、第一変換部１０２から取得した画質調整パラメータセットに応じて、入力される画像信号の画質を調整し、画像表示パネル１０８に出画する。ここで、画質調整パラメータに基づき画質を調整する方法は、例えば特許文献１に記載されるように従来既知の方法であるため、その詳細な説明を省略する。同時に、音質調整部１０７は、第二変換部１０３から取得した音質調整パラメータセットに応じて、入力される音声信号の音質を調整し、スピーカ１０９に出音する。ここで、音質調整パラメータに基づき音質を調整する方法は、例えば特許文献２に記載されるように従来既知の方法であるため、その詳細な説明を省略する。
【００７０】
上述したように、実施の形態１に係る映像音響再生装置１は、複数の個別パラメータが関連付けられた共通パラメータを調整することで画質及び音質を調整する。映像音響再生装置１は、共通パラメータの入力を受け付け、入力された共通パラメータに関連付けられる画質調整パラメータ及び音質調整パラメータを出力し、出力された画質調整パラメータに応じて画質を調整し、出力された音質調整パラメータに応じて音質を調整する。そして、画質調整パラメータ及び音質調整パラメータは、共通パラメータの変化に応じて変化する。よって、視聴者が所望する共通パラメータを映像音響再生装置１に入力することによって、映像音響再生装置１は、ユーザが所望する画質及び音質に画像及び音声を調整する。従って、視聴者が、自身に適した画質及び音質の調整を容易に行うことができる。
【００７１】
また、実施の形態１に係る映像音響再生装置１において、共通パラメータは、対象とする視聴者の年齢段階を表現するパラメータである。これにより、共通パラメータの判断基準が視聴者の年齢となるため、視聴者は、自身の身体状態に応じて、共通パラメータを容易に設定することができる。
【００７２】
また、実施の形態１に係る映像音響再生装置１において、加齢による視力の低下を補うように画質を変化させる画質調整パラメータ、及び、加齢による聴力の低下を補うように音質を変化させる音質調整パラメータは、共通パラメータの変化に対して、連動して変化する。例えば、共通パラメータの値が対応する年齢段階が高くなる程、画質調整パラメータが加齢による視力の低下を補う程度を大きくし、音質調整パラメータが加齢による聴力の低下を補う程度を大きくするように設定することができる。これにより、映像音響再生装置１は、加齢に伴う視覚の低下と聴覚の低下とを補うことで高齢者の視聴に適した画質調整及び音質調整を可能にする。
【００７３】
また、実施の形態１に係る映像音響再生装置１において、画質調整パラメータは、視覚が健常な視聴者が知覚可能な画質を損なう範囲までカバーするように、調整される。上記範囲を、高齢者が知覚可能な画質の範囲と対応付けることによって、画質調整パラメータは、若年層から高齢層にまで適合する画質をもたらすことができる。よって、映像音響再生装置１の適用対象視聴者の範囲を広くすることが可能になる。
【００７４】
また、実施の形態１に係る映像音響再生装置１において、画質調整パラメータ及び音質調整パラメータは、年齢段階の増加又は減少に対して、単調に増加又は減少する。よって、画質調整パラメータ及び音質調整パラメータと年齢段階との対応付けが、確実に且つ容易に可能である。また、画質調整パラメータ及び音質調整パラメータを増加又は減少する際、視聴者が知覚する画質及び音質の変化が円滑である。
【００７５】
さらに、画質調整パラメータ及び音質調整パラメータはそれぞれ、年齢段階が高くなるに従って、視覚又は聴覚が健常な視聴者が知覚可能な画質及び音質を損なう程度にまで変化させられ得る。例えば、視覚が健常な視聴者が知覚可能な画質を損なう程度、及び、聴覚が健常な視聴者が知覚可能な音質を損なう程度を、高齢者には支障なく知覚できるが、若年層に不快である等の知覚に支障が生じる程度としてもよい。このような場合、画質調整パラメータ及び音質調整パラメータは若年層から高齢層にまでそれぞれに適合するように変化することができる。
【００７６】
また、実施の形態１に係る映像音響再生装置１は、複数の画質調整パラメータを調整することによって画質を調整し、複数の音質調整パラメータを調整することによって音質を調整する。よって、共通パラメータの内容を忠実に反映し且つ視聴者に適した画質調整及び音質調整が可能になる。
【００７７】
［実施の形態２］
実施の形態１に係る映像音響再生装置１は、１つの共通パラメータが設定されることによって、当該共通パラメータに対応した画質調整パラメータ及び音質調整パラメータを一緒に決定した。実施の形態２に係る映像音響再生装置２では、画質調整パラメータ及び音質調整パラメータを決定するために、２つの共通パラメータが設定されるように構成される。
【００７８】
例えば、実施の形態１に係る映像音響再生装置１は、年齢段階が高くなるに従って、視力及び聴力が同様の傾向で劣化するという想定で、画質及び音質を連動して調整するというものであった。しかしながら、上記想定は、多数の事例の平均的な状態を示すに過ぎない。個々人においては、加齢に伴う視力及び聴力の劣化の進行が異なることがある。例えば、個々人においては、「目は見えにくくなったが耳はよく聞こえる」、又は、その逆はよくあることである。このような状況に対応可能な実施の形態２に係る映像音響再生装置２を説明する。以下において、実施の形態１と異なる点を中心に説明する。
【００７９】
図８には、実施の形態２に係る映像音響再生装置２の機能的な構成の一例が示されている。図９には、実施の形態２における共通パラメータと個別パラメータとの関係が、示されている。図８及び図９に示すように、映像音響再生装置２の構成は、ユーザインターフェース部７００と検出部７０１とを除き、実施の形態１に係る映像音響再生装置１と同様である。実施の形態１に係るユーザインターフェース部１００は、年齢段階が高くなるに従って視力及び聴力が同様の傾向で劣化するという想定に基づき、１つの年齢段階が設定されるように構成されていた。実施の形態２に係るユーザインターフェース部７００は、ユーザインターフェース部１００と同様に、年齢段階という同一の年齢軸を有するが、視覚に関する年齢段階と聴覚に関する年齢段階とを独立して設定可能である。従って、実施の形態１に係るユーザインターフェース部１００の出力は、１つであったが、実施の形態２に係るユーザインターフェース部７００の出力は、２つとなる。
【００８０】
図９に示すように、ユーザインターフェース部７００の表示部分７００ａは、年齢軸７００ｂと、年齢軸７００ｂに沿って移動するスライダ７００ｃａ及び７００ｃｂとを含む。ユーザインターフェース部７００は、ユーザによってユーザインターフェース部７００に入力される視覚に対する指令に従って、スライダ７００ｃａを年齢軸７００ｂに沿って移動させる。また、ユーザインターフェース部７００は、ユーザによってユーザインターフェース部７００に入力される聴覚に対する指令に従って、スライダ７００ｃｂを年齢軸７００ｂに沿って移動させる。年齢軸７００ｂ上のスライダ７００ｃａの位置は、視覚の年齢段階を示し、年齢軸７００ｂ上のスライダ７００ｃｂの位置は、聴覚の年齢段階を示す。
【００８１】
また、実施の形態１に係る検出部１０１は、ユーザインターフェース部１００の出力を受けるため、１入力１出力の構成であったが、実施の形態２に係る検出部７０１は、ユーザインターフェース部７００の出力を受けるため、２入力２出力の構成となる。検出部７０１は、ユーザインターフェース部７００から取得するスライダ７００ｃａの位置に対応する共通パラメータである第一共通パラメータの値を検出し、第一変換部１０２に出力する。また、検出部７０１は、ユーザインターフェース部７００から取得するスライダ７００ｃｂの位置に対応する共通パラメータである第二共通パラメータの値を検出し、第二変換部１０３に出力する。第一変換部１０２は、画質調整パラメータテーブル１０４を参照することによって、第一共通パラメータの値に基づき、画質調整パラメータセットを決定する。第二変換部１０３は、音質調整パラメータテーブル１０５を参照することによって、第二共通パラメータの値に基づき、音質調整パラメータセットを決定する。このような第一共通パラメータは画質調整パラメータと関連付けられる共通パラメータであり、第二共通パラメータは音質調整パラメータと関連付けられる共通パラメータである。
【００８２】
実施の形態２に係る映像音響再生装置２のその他の構成及び動作は、実施の形態１と同様であるため、その説明を省略する。上述のような実施の形態２に係る映像音響再生装置２は、視聴者が所望する第一共通パラメータ及び第二共通パラメータそれぞれを映像音響再生装置２に入力することによって、画像及び音声を個別に、視聴者が所望する画質及び音質に調整する。よって、視聴者が、視覚及び聴覚について個々に自身の年齢段階を設定できるので、より個人に適した画質及び音質の容易な調整が可能になる。
【００８３】
［その他］
以上、１つ又は複数の態様に係る映像音響再生装置について、実施の形態に基づいて説明したが、本開示は、実施の形態に限定されるものではない。本開示の趣旨を逸脱しない限り、当業者が思いつく各種変形を実施の形態に施したものや、異なる実施の形態における構成要素を組み合わせて構築される形態も、１つ又は複数の態様の範囲内に含まれてもよい。
【００８４】
また、実施の形態に係る映像音響再生装置において、ユーザインターフェース部は、共通パラメータを、ユーザの年齢段階に対応付けていたが、これに限定されない。例えば、共通パラメータは、視覚及び聴覚の疾病の進行程度と対応付けてもよい。さらに、共通パラメータの値に対応する画質調整パラメータ及び音質調整パラメータも、視覚及び聴覚の疾病の進行程度と対応付けてもよい。このような映像音響再生装置は、ユーザの疾病の進行程度に適合した画質及び音質の画像及び音声を提供することができる。
【００８５】
また、実施の形態に係る映像音響再生装置は、デジタルテレビジョン受信機に備えられるとして説明したが、映像音響再生装置を備える装置は、これに限定されない。映像音響再生装置は、例えば、ＤＶＤプレイヤ、Ｂｌｕ−ｒａｙ（登録商標）  Ｄｉｓｃプレイヤ及びデジタルサイネージ等の映像及び音響を再生することができるいかなる装置に備えられてもよい。
【００８６】
また、上述したように、本開示の技術は、システム、装置、方法、集積回路、コンピュータプログラム又はコンピュータ読取可能な記録ディスク等の記録媒体で実現されてもよく、システム、装置、方法、集積回路、コンピュータプログラム及び記録媒体の任意な組み合わせで実現されてもよい。コンピュータ読み取り可能な記録媒体は、例えばＣＤ−ＲＯＭ等の不揮発性の記録媒体を含む。
【００８７】
例えば、実施の形態に含まれる各構成要素は、集積回路であるＬＳＩ（Ｌａｒｇｅ  Ｓｃａｌｅ  Ｉｎｔｅｇｒａｔｉｏｎ：大規模集積回路）として実現されてもよい。これらは個別に１チップ化されてもよいし、一部又は全てを含むように１チップ化されてもよい。また、集積回路化はＬＳＩに限るものではなく、専用回路又は汎用プロセッサで実現してもよい。ＬＳＩ製造後にプログラムすることが可能なＦＰＧＡ（Ｆｉｅｌｄ  Ｐｒｏｇｒａｍｍａｂｌｅ  Ｇａｔｅ  Ａｒｒａｙ）、又はＬＳＩ内部の回路セルの接続や設定を再構成可能なリコンフィギュラブル・プロセッサを利用してもよい。
【００８８】
例えば、上記構成要素の一部又は全部は、脱着可能なＩＣ（Ｉｎｔｅｇｒａｔｅｄ  Ｃｉｒｃｕｉｔ）カード又は単体のモジュールから構成されてもよい。ＩＣカード又はモジュールは、マイクロプロセッサ、ＲＯＭ、ＲＡＭ等から構成されるコンピュータシステムである。ＩＣカード又はモジュールは、上記のＬＳＩ又はシステムＬＳＩを含むとしてもよい。マイクロプロセッサが、コンピュータプログラムにしたがって動作することにより、ＩＣカード又はモジュールは、その機能を達成する。これらＩＣカード及びモジュールは、耐タンパ性を有するとしてもよい。
【００８９】
例えば、本開示の技術は、ソフトウェアプログラム又はソフトウェアプログラムからなるデジタル信号によって実現されてもよく、プログラムが記録された非一時的なコンピュータ読み取り可能な記録媒体であってもよい。また、上記プログラムは、インターネット等の伝送媒体を介して流通させることができるのは言うまでもない。
【００９０】
また、上記で用いた序数、数量等の数字は、全て本開示の技術を具体的に説明するために例示するものであり、本開示は例示された数字に制限されない。また、構成要素間の接続関係は、本開示の技術を具体的に説明するために例示するものであり、本開示の機能を実現する接続関係はこれに限定されない。
【００９１】
また、ブロック図における機能ブロックの分割は一例であり、複数の機能ブロックを１つの機能ブロックとして実現したり、１つの機能ブロックを複数に分割したり、一部の機能を他の機能ブロックに移してもよい。また、類似する機能を有する複数の機能ブロックの機能を単一のハードウェア又はソフトウェアが並列又は時分割に処理してもよい。
【産業上の利用可能性】
【００９２】
本開示の技術は、画像及び音声を視聴者の適正に対応させることができるので、例えば、テレビジョン受信機、ＤＶＤプレイヤ、Ｂｌｕ−ｒａｙ（登録商標）  Ｄｉｓｃプレイヤ及びデジタルサイネージ等の再生機器に利用できる。
【符号の説明】
【００９３】
１，２  映像音響再生装置
１００，７００  ユーザインターフェース部
１０１，７０１  検出部
１０２  第一変換部
１０３  第二変換部
１０４  画質調整パラメータテーブル
１０５  音質調整パラメータテーブル
１０６  画質調整部
１０７  音質調整部
１０８  画像表示パネル
１０９  スピーカ
１１０  パラメータ出力部
【図１】
2019026140.tif 000003
【図２】
2019026140.tif 000004
【図３Ａ】
2019026140.tif 000005
【図３Ｂ】
2019026140.tif 000006
【図４】
2019026140.tif 000007
【図５】
2019026140.tif 000008
【図６】
2019026140.tif 000009
【図７】
2019026140.tif 000010
【図８】
2019026140.tif 000011
【図９】
2019026140.tif 000012
【国際調査報告】
2019026140.tif 000013
2019026140.tif 000014
2019026140.tif 000015
2019026140.tif 000016